(57)【特許請求の範囲】
【請求項１】
１つのリソースブロックペアにおいてEnhanced PDCCH（EPDCCH）に用いられるOFDMシンボル数と、前記１つのリソースブロックペアにおいて参照信号に使用されるリソースエレメント数と、端末装置における受信品質要求を満たすために必要な、１つのControl Channel Element（CCE）を構成するリソースエレメント数の下限値とにもとづいて、分割数を計算し、前記EPDCCHは下り制御情報及び下りデータのいずれの送信にも利用可能なリソース領域が下り制御チャネルに利用されたものである、分割数計算部と、
前記１つのリソースブロックペアに前記分割数のControl Channel Elements（CCEs）を設定し、アグリゲーションレベルに基づいて、それぞれ少なくとも一つのCCEを含む複数のリソース領域候補によって構成されるサーチスペースを特定する特定部と、
前記複数のリソース領域候補において、受信した信号をブラインド復号することにより、前記下り制御情報を取得する制御情報取得部と、
を具備する端末装置。
【請求項２】
前記分割数計算部は、Normal cyclic prefix length のサブフレームでは、Extended cyclic prefix length のサブフレームよりも分割数が大きくなるように前記分割数を計算する、
請求項１に記載の端末装置。
【請求項３】
前記分割数計算部は、下りリンクのサブフレームでは、下りリンクと上りリンクとを切り替えるためのギャップ区間を有するサブフレームであるスペシャルサブフレームよりも分割数が大きくなるように前記分割数を計算する、
請求項１又は２に記載の端末装置。
【請求項４】
前記１つのリソースブロックペアは２つのスロットからなり、前記分割数は前記１つのリソースブロックペアに含まれるCCEの数である、
請求項１から３のいずれか一項に記載の端末装置。
【請求項５】
各CCEは複数のリソースエレメントを含む、
請求項１から４のいずれか一項に記載の端末装置。
【請求項６】
１つのリソースブロックペアにおいてEnhanced PDCCH（EPDCCH）に使用できるOFDMシンボル数と、前記１つのリソースブロックペアにおいて参照信号に使用されるリソースエレメント数と、端末装置における受信品質要求を満たすために必要な、１つのControl Channel Element（CCE）を構成するリソースエレメント数の下限値とにもとづいて、分割数を計算し、前記EPDCCHは下り制御情報及び下りデータのいずれの送信にも利用可能なリソース領域が下り制御チャネルに利用されたものであり、
前記１つのリソースブロックペアに前記分割数のControl Channel Elements（CCEs）を設定し、アグリゲーションレベルに基づいて、それぞれ少なくとも一つのCCEを含む複数のリソース領域候補によって構成されるサーチスペースを特定し、
前記複数のリソース領域候補において、受信した信号をブラインド復号することにより、前記下り制御情報を取得する、
通信方法。
【請求項７】
前記分割数の計算において、Normal cyclic prefix length のサブフレームでは、Extended cyclic prefix length のサブフレームよりも分割数が大きくなるように前記分割数を計算する、
請求項６に記載の通信方法。
【請求項８】
前記分割数の計算において、下りリンクのサブフレームでは、下りリンクと上りリンクとを切り替えるためのギャップ区間を有するサブフレームであるスペシャルサブフレームよりも分割数が大きくなるように前記分割数を計算する、
請求項６又は７に記載の通信方法。
【請求項９】
前記１つのリソースブロックペアは２つのスロットからなり、前記分割数は前記１つのリソースブロックペアに含まれるCCEの数である、
請求項６から８のいずれか一項に記載の通信方法。
【請求項１０】
各CCEは複数のリソースエレメントを含む、
請求項６から９のいずれか一項に記載の通信方法。
【請求項１１】
１つのリソースブロックペアにおいてEnhanced PDCCH（EPDCCH）に使用できるOFDMシンボル数と、前記１つのリソースブロックペアにおいて参照信号に使用されるリソースエレメント数と、端末装置における受信品質要求を満たすために必要な、１つのControl Channel Element（CCE）を構成するリソースエレメント数の下限値とにもとづいて分割数を計算し、前記EPDCCHは下り制御情報及び下りデータのいずれの送信にも利用可能なリソース領域が下り制御チャネルに利用されたものである、処理と
前記１つのリソースブロックペアに前記分割数のControl Channel Elements（CCEs）を設定し、アグリゲーションレベルに基づいて、それぞれ少なくとも一つのCCEを含む複数のリソース領域候補によって構成されるサーチスペースを特定する処理と、
前記複数のリソース領域候補において、受信した信号をブラインド復号することにより、前記下り制御情報を取得する処理と、
を制御する集積回路。
【発明の詳細な説明】
【技術分野】
【０００１】
本発明は、端末装置、通信方法、及び集積回路に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。大容量データの伝送を実現するために、高周波の無線帯域を利用して高伝送レートを実現する技術に関する検討が盛んに行われている。【０００３】
しかし、高周波の無線帯域を利用する場合には、近距離では高伝送レートの通信が期待できる一方、遠距離になるに従って伝送距離による減衰が大きくなる。よって、高周波の無線帯域を利用した移動体通信システムを実際に運用する場合には、無線通信基地局装置（以下、「基地局」と省略する）のカバーエリアが小さくなるため、より多くの基地局を設置する必要がある。基地局の設置には相応のコストがかかる。従って、基地局数の増加を抑制しつつ、高周波の無線帯域を利用した通信サービスを実現するための技術が強く求められている。【０００４】
このような要求に対して、各基地局のカバーエリアを拡大させるために、基地局と無線通信移動局装置（以下、「移動局」と省略する）との間に、無線通信中継局装置（以下、「中継局」と省略する）を設置し、基地局と移動局との間の通信を中継局を介して行う、中継技術が検討されている。中継（Relay）技術を用いると、基地局と直接通信できない移動局も、中継局を介して通信することができる。【０００５】
上記した中継技術の導入が検討されているLTE-A（Long Term Evolution Advanced）システムに対しては、LTE（Long Term Evolution）からのスムーズな移行及びLTEとの共存の観点から、LTEとの互換性を維持することが要求されている。そのため、Relay技術に関しても、LTEとの相互互換性が求められている。【０００６】
図１には、LTEシステム及びLTE-Aシステムにおいて、制御信号及びデータを割り当てたフレームの一例が示されている。【０００７】
LTEシステムでは、基地局から移動局へ送信される下り回線（DL:DownLink）制御信号は、例えばPDCCH（Physical Downlink Control CHannel）等の下り回線制御チャネルによって送信される。LTEでは、DLのデータ割り当てを指示するDL grant(DL assignmentとも呼ばれる)、及び、上り回線（UL:UpLink）のデータ割り当てを指示するUL grantが、PDCCHによって送信される。DL grantによって、このDL grantが送信されたサブフレーム内のリソースが移動局に対して割り当てられたことが通知される。一方、UL grantに関しては、FDDシステムでは、UL grantによって、このUL grantが送信されたサブフレームより４サブフレーム後の対象サブフレーム内のリソースが、移動局に対して割り当てられたことが通知される。また、TDDシステムでは、UL grantによって、このUL grantが送信されたサブフレームより４サブフレーム以上後の対象サブフレーム内のリソースが、移動局に対して割り当てられたことが通知される。TDDシステムでは、移動局に対する割当対象サブフレームとして、UL grantが送信されたサブフレームのいくつ後のサブフレームが割り当てられるかは、上り回線及び下り回線が時分割されるパターン（以下、「UL/DLコンフィグレーションパターン」）に応じて定められる。ただし、どのUL/DLコンフィグレーションパターンにおいても、ULサブフレームは、UL grantが送信されたサブフレームの４サブフレーム以上後のサブフレームである。【０００８】
LTE-Aシステムでは、基地局だけでなく中継局も移動局へサブフレームの先頭部分のPDCCH領域で制御信号を送信する。中継局に着目すると、移動局へ下り回線制御信号を送信しなければならないので、中継局は、制御信号を移動局へ送信した後に受信処理へ切り替えることにより、基地局から送信された信号の受信に備える。しかしながら、中継局が下り回線制御信号を移動局へ送信しているタイミングで基地局も中継局用の下り回線制御信号を送信しているので、中継局は、基地局から送信された下り回線制御信号を受信することができない。このような不都合を回避するために、LTE-Aでは、データ領域に、中継局用の下り回線制御信号を配置する領域（中継局向けR-PDCCH（Relay用PDCCH）領域）を設けることが検討されている。このR-PDCCHにも、PDCCHと同様に、DL grant及びUL grantが配置されることが検討されている。さらに、R-PDCCHでは、図１に示されるように、DL grantを1st slotに配置し、UL grantを2nd slotに配置することが検討されている（非特許文献１参照）。DL grantを1st slotのみに配置することで、DL grantの復号遅延が短くなり、中継局はDLデータに対するＡＣＫ／ＮＡＣＫの送信(FDDでは、DL grantの受信から４サブフレーム後に送信される)に備えることができる。このようにして基地局からR-PDCCHを用いて送信された下り回線制御信号を、中継局は、基地局からhigher layer signalingによって指示されたリソース領域（つまり、「サーチスペース」）内でブラインド復号することにより、自局宛の下り回線制御信号を見つける。ここで、R-PDCCHに対応するサーチスペースは、higher layer signalingによって、基地局から中継局に通知される。【０００９】
ところで、今後、Ｍ２Ｍ（Machine to Machine）通信等、様々な機器が無線通信端末として導入されることを考慮すると、端末数の増加によりPDCCHがマッピングされる領域（つまり、「PDCCH領域」）のリソース不足が懸念される。このリソース不足によってPDCCHがマッピングできなくなると、端末に対する下り回線データの割当が行えない。このため、下り回線データがマッピングされるリソース領域（つまり、「PDSCH（Physical Downlink Shared CHannel）領域」）が空いていても使用することができずに、システムスループットが低下してしまう恐れがある。このリソース不足を解消する方法として、基地局配下の端末に向けた制御信号を、前述のR-PDCCHがマッピングされるデータ領域にも配置することが検討されている。そして、この基地局配下の端末に向けた制御信号がマッピングされ且つ別のタイミングではデータ領域としても利用可能なリソース領域は、Enhanced PDCCH(E-PDCCH)領域、New-PDCCH(N-PDCCH)領域、又は、X-PDCCH領域などと呼ばれる。また、上述の通り、LTE-Aでは、Relay技術が導入されており、Relay用の制御信号はデータ領域に配置されている。このRelay用の制御信号を拡張して端末用の制御信号に使用される可能性があることから、基地局配下の端末に向けた制御信号がマッピングされ且つ別のタイミングではデータ領域としても利用可能なリソース領域は、R-PDCCHとも呼ばれる。このようにデータ領域に制御信号（つまり、E-PDCCH）を配置することにより、セルエッジ付近に存在する端末へ送信される制御信号に対する送信電力制御、又は、送信される制御信号によって他のセルへ与えられる干渉制御若しくは他のセルから自セルへ与えられる干渉制御が、実現可能となる。そして、LTE-Advancedでは、広帯域の無線帯域、Multiple-Input Multiple-Output (MIMO)伝送技術、干渉制御技術を利用して高伝送レートを実現しようとしている。【００１０】
また、PDCCHおよびR-PDCCHは、アグリゲーションレベルとしてレベル１、２、４、８の４つのレベルを有する（例えば、非特許文献１参照）。そして、レベル１、２、４、８は、６、６、２、２種類の「リソース領域候補」をそれぞれ有する。ここで、リソース領域候補とは、制御信号がマッピングされる領域の候補である。各リソース領域候補は、対応するアグリゲーションレベルと同数の制御チャネル要素（CCE:Control Channel Element）から構成される。そして、１つの端末に対して１つのアグリゲーションレベルが設定されると、そのアグリゲーションレベルが有する複数のリソース領域候補の内の１つに、制御信号が実際にマッピングされる。図２は、R-PDCCHに対応するサーチスペースの一例を示す図である。各楕円は、各アグリゲーションレベルのサーチスペースを示している。各アグリゲーションレベルの各サーチスペースにおける複数のリソース領域候補は、VRB(Virtual Resource Block)においては連続的に配置される。そして、VRBにおける各リソース領域候補は、上位レイヤのシグナリングによって、PRB(Physical Resource Block)にマッピングされる。【００１１】
また、E-PDCCHに対応するサーチスペースは、基地局から端末へ送信される制御信号がマッピングされる可能性の有るリソース領域である。さらに、E-PDCCHに対応するサーチスペースは、端末個別に設定される。【００１２】
上記の通り、R-PDCCH領域では、DL grantは第１スロットにマッピングされ、UL grantは第２スロットにマッピングされる。すなわち、DL grantがマッピングされるリソースと、UL grantがマッピングされるリソースとは、時間軸で分割されている。これに対して、E-PDCCHでは、図３に示すように、DL grantがマッピングされるリソースとUL grantがマッピングされるリソースとが周波数軸（つまり、サブキャリア又はPRBペア）に分割されることも検討されている。ここで、PRB（Physical Resource Block）ペアは、第１スロット及び第２スロットのPRBを合わせた集合を意味するのに対して、PRBは、第１スロット及び第２スロットのPRBのそれぞれを意味する。【００１３】
E-PDCCHの設計については、上記したR-PDCCHの設計の一部を使うこともできるし、R-PDCCHの設計と全く異なる設計とすることもできる。実際に、E-PDCCHの設計とR-PDCCHの設計とを異なるものにすることも検討されている。
【先行技術文献】
【非特許文献】
【００１４】
【非特許文献１】3GPP TS 36.216 V10.1.0  Physical layer for relaying operation
【発明の概要】
【発明が解決しようとする課題】
【００１５】
ところで、DL grantがマッピングされるリソースとUL grantがマッピングされるリソースとが周波数軸（つまり、サブキャリア又はRBペア）に分割される場合、１つのPRBペアをE-PDCCHに対してリソースを割り当てる際の最小単位（つまり、CCE）とすることも考えられている。しかしながら、２スロットから構成されるPRBペアをCCEとすると、CCEのリソース量が多くなる。このため、E-PDCCHの受信SINRが高くなり受信品質が過剰になる可能性が高くなり、リソースの無駄が発生してしまう可能性が高くなる。したがって、１つのPRBペアを分割することにより得られた「分割リソース領域」をE-PDCCHのCCEとして使用することが考えられる。【００１６】
しかしながら、PRBペアあたりの分割数を大きくすると、E-PDCCHのためのCCEのリソース量（つまり、１つのCCEを構成するリソース要素（RE:Resource Element）の数）が小さくなる。さらに、E-PDCCHのアグリゲーションレベルがPDCCH及びR-PDCCHと同様に１、２、４、８とすると、サポートされ得る端末数が少なくなってしまう。すなわち、一番大きいアグリゲーションレベル８の受信品質によって、サポートされ得る端末の受信品質が決定される。E-PDCCHのためのCCEのリソース量が小さいと、E-PDCCHの受信品質が低くなるので、所望の受信品質を満たす端末数が減ってしまう。【００１７】
また、PRBペアあたりの分割数を固定としていても、CCEを構成するRE数は、サブフレーム毎に変化する。以下に、また、PRBペアあたりの分割数を固定としていても、サブフレーム毎に、CCEを構成するRE数が変化する要因を説明する。なお、LTEおよびLTE-Aでは、図４に示すように、１つのPRBは、周波数方向には１２個のサブキャリアを有し、時間方向には0.5msecの幅を有する。PRBを時間方向で２つ合わせた単位は、PRBペアと呼ばれる。つまり、PRBペアは、周波数方向には１２個のサブキャリアを有し、時間方向には1msecの幅を有する。ただし、PRBペアが周波数軸上の１２個のサブキャリアの塊を表す場合、PRBペアは、単にRBと呼ばれることがある。また、１個のサブキャリアと１つのOFDMシンボルとにより規定される単位が、リソース要素（RE:Resource Element）である。また、ここでPRBについて説明した事項は、VRBに対しても当てはまる。そして、PRB及びVRBを総称して、RBという言葉が用いられる。【００１８】
［１］OFDMシンボルのCP length：
１PRBあたりのOFDMシンボル数は、OFDMシンボルのCP（Cyclic Prefix） lengthによって変わる。従って、CCEを構成するRE数は、PRBペアあたりの分割数を固定としていても、CP（Cyclic Prefix）lengthによって変化する。【００１９】
具体的には、通常の下り回線サブフレームは、Normal CPの場合には、１４個のOFDMシンボルを有し、Extended CPの場合には、１２個のOFDMシンボルを有する。また、図５に示すSpecialサブフレームのDwPTS領域（つまり、DLの送信に使用される領域）は、Normal CPの場合には、３個、９個、１０個、１１個、又は１２個のOFDMシンボルを有し、Extended CPの場合には、３個、８個、９個、又は１０個のOFDMシンボルを有する。【００２０】
［２］参照信号(RS:Reference signal)に使用されるRE数：
１PRB内において参照信号がマッピングされるREの数は、サブフレーム毎に変化する。従って、CCEを構成するRE数は、PRBペアあたりの分割数を固定としていても、１PRB内において参照信号がマッピングされるREの数によって変化する。【００２１】
（１）CRS：
CRSは、全RBにおいて送信される。CRSは、MBSFNサブフレーム以外のサブフレームでは、データ領域でも送信されるが、MBSFNサブフレームでは、先頭２OFDMシンボルでのみ送信される。【００２２】
（２）DMRS(12RE、24 RE or 16RE)：
DMRSの利用は、下り割り当て制御情報（DL assignment）によって、基地局から端末へ動的に指示される。設定されるDMRSの数は、ユーザごとに異ならせることができる。DMRSは、データ領域で送信され、ＲＢごとに設定される値が異なっても良い。【００２３】
（３）CSI-RS(2RE〜)：
CSI-RSは、全RBにおいて送信される。送信されるサブフレームはあらかじめ定められている周期によって決まる。CSI-RSは、他セルのCSI-RSを受信するためにデータを送信しないというミューティングという機能を有する。そして、CSI-RSミューティングが設定されると、データ領域又はE-PDCCH領域として使用できるRE数がさらに減少する。【００２４】
（４）PRS(Positioning reference signals)：
PRS (Positioning reference signals)は位置測定に使用されるRSである。このPRSに設定されたREをE-PDCCH領域に使用しない設定の場合、E-PDCCHに使用できるRE数がさらに減少する。【００２５】
［３］PDCCH領域を構成するOFDMシンボル数：
PDCCHに使用されるOFDMシンボルの数は、１個から４個のうちで可変である。従って、PDCCH領域をE-PDCCHに用いない設定の場合、PDCCH領域のOFDMシンボル数が多くなるに従って、E-PDCCHに使用できるOFDMシンボル数が減少する。すなわち、CCEを構成するRE数は、PRBペアあたりの分割数を固定としていても、PDCCH領域を構成するOFDMシンボル数によって変化する。【００２６】
なお、図６及び図７は、PRBペアおける４番目のOFDMシンボル以降のリソースをE-PDCCHに使用する場合の、第１スロット及び第２スロットのRE数が示す。図６及び図７には、特に、CSI-RSが第２スロットに配置される例が示されている。図６及び図７は１つの表を構成し、図６にはその表の前半が示され、図７にはその表の後半が示される。【００２７】
以上のように、PRBペア内に存在し且つE-PDCCHに利用可能なRE数に大きな変動が生じると、制御信号の受信品質が低下してしまう可能性が高くなる。【００２８】
本発明の目的は、制御信号の受信品質を向上させることができる端末装置、通信方法、及び集積回路を提供することである。
【課題を解決するための手段】
【００２９】
本発明の一態様の端末装置は、１つのリソースブロックペアにおいてEnhanced PDCCH（EPDCCH）に用いられるOFDMシンボル数と、前記１つのリソースブロックペアにおいて参照信号に使用されるリソースエレメント数と、端末装置における受信品質要求を満たすために必要な、１つのControl Channel Element（CCE）を構成するリソースエレメント数の下限値とにもとづいて、分割数を計算し、前記EPDCCHは下り制御情報及び下りデータのいずれの送信にも利用可能なリソース領域が下り制御チャネルに利用されたものである、分割数計算部と、前記１つのリソースブロックペアに前記分割数のControl Channel Elements（CCEs）を設定し、アグリゲーションレベルに基づいて、それぞれ少なくとも一つのCCEを含む複数のリソース領域候補によって構成されるサーチスペースを特定する特定部と、前記複数のリソース領域候補において、受信した信号をブラインド復号することにより、前記下り制御情報を取得する制御情報取得部と、を具備する。
【００３０】
本発明の一態様の端末装置において、前記分割数計算部は、Normal cyclic prefix length のサブフレームでは、Extended cyclic prefix length のサブフレームよりも分割数が大きくなるように前記分割数を計算する。
【００３１】
本発明の一態様の通信方法は、１つのリソースブロックペアにおいてEnhanced PDCCH（EPDCCH）に使用できるOFDMシンボル数と、前記１つのリソースブロックペアにおいて参照信号に使用されるリソースエレメント数と、端末装置における受信品質要求を満たすために必要な、１つのControl Channel Element（CCE）を構成するリソースエレメント数の下限値とにもとづいて、分割数を計算し、前記EPDCCHは下り制御情報及び下りデータのいずれの送信にも利用可能なリソース領域が下り制御チャネルに利用されたものであり、前記１つのリソースブロックペアに前記分割数のControl Channel Elements（CCEs）を設定し、アグリゲーションレベルに基づいて、それぞれ少なくとも一つのCCEを含む複数のリソース領域候補によって構成されるサーチスペースを特定し、前記複数のリソース領域候補において、受信した信号をブラインド復号することにより、前記下り制御情報を取得する。
【００３２】
本発明の一態様の集積回路は、１つのリソースブロックペアにおいてEnhanced PDCCH（EPDCCH）に使用できるOFDMシンボル数と、前記１つのリソースブロックペアにおいて参照信号に使用されるリソースエレメント数と、端末装置における受信品質要求を満たすために必要な、１つのControl Channel Element（CCE）を構成するリソースエレメント数の下限値とにもとづいて分割数を計算し、前記EPDCCHは下り制御情報及び下りデータのいずれの送信にも利用可能なリソース領域が下り制御チャネルに利用されたものである、処理と、前記１つのリソースブロックペアに前記分割数のControl Channel Elements（CCEs）を設定し、アグリゲーションレベルに基づいて、それぞれ少なくとも一つのCCEを含む複数のリソース領域候補によって構成されるサーチスペースを特定する処理と、前記複数のリソース領域候補において、受信した信号をブラインド復号することにより、前記下り制御情報を取得する処理と、を制御する。
【発明の効果】
【００３３】
本発明によれば、制御信号の受信品質を向上させることができる。
【図面の簡単な説明】
【００３４】
【図１】LTEシステム及びLTE-Aシステムにおいて、制御信号及びデータを割り当てたフレームの一例を示す図
【図２】R-PDCCHに対応するサーチスペースの一例を示す図
【図３】DL grantがマッピングされるリソースとUL grantがマッピングされるリソースとが周波数軸に分割されるマッピング例を示す図
【図４】PRBペアの説明に供する図
【図５】Specialサブフレームを示す図
【図６】PRBペアおける４番目のOFDMシンボル以降のリソースをE-PDCCHに使用する場合の、第１スロット及び第２スロットのRE数を示す図
【図７】PRBペアおける４番目のOFDMシンボル以降のリソースをE-PDCCHに使用する場合の、第１スロット及び第２スロットのRE数を示す図
【図８】本発明の実施の形態１に係る基地局の要部構成を示すブロック図
【図９】本発明の実施の形態１に係る端末の要部構成を示すブロック図
【図１０】本発明の実施の形態１に係る基地局の構成を示すブロック図
【図１１】本発明の実施の形態１に係る端末の構成を示すブロック図
【図１２】本発明の実施の形態２に係る制御信号マッピング制御部の構成を示すブロック図
【図１３】本発明の実施の形態２に係る抽出リソース特定部の構成を示すブロック図
【図１４】本発明の実施の形態２に係る基地局及び端末の動作説明に供する図
【図１５】本発明の実施の形態３に係る制御信号マッピング制御部の構成を示すブロック図
【図１６】本発明の実施の形態３に係る抽出リソース特定部の構成を示すブロック図
【図１７】本発明の実施の形態３に係る基地局及び端末の動作説明に供する図
【図１８】本発明の実施の形態４に係る基地局及び端末の動作説明に供する図
【発明を実施するための形態】
【００３５】
以下、本発明の実施の形態について図面を参照して詳細に説明する。なお、実施の形態において、同一の構成要素には同一の符号を付し、その説明は重複するので省略する。
【００３６】
［実施の形態１］
［通信システムの概要］
本発明の実施の形態１に係る通信システムは、送信装置と受信装置とを有する。特に、本発明の実施の形態では、送信装置を基地局１００とし、受信装置を端末２００として説明する。この通信システムは、例えば、LTE-Aシステムである。そして、基地局１００は、例えば、LTE-A基地局であり、端末２００は、例えば、LTE-A端末である。
【００３７】
図８は、本発明の実施の形態１に係る基地局１００の要部構成を示すブロック図である。
【００３８】
基地局１００は、サーチスペースを構成する複数の「リソース領域候補」の内の１つに、割り当て制御信号をマッピングして端末２００へ送信する。そして、各リソース領域候補は、アグリゲーションレベルの値と同数のCCEから構成される。
【００３９】
分割数計算部１０３は、各PRBペアにおける、割り当て制御信号をマッピングできるREの第１の個数と、割り当て制御信号以外の信号をマッピングするREの第２の個数と、基準値とに基づいて、PRBペアの分割数を算出する。基準値は、割り当て制御信号の端末２００における受信品質要求を満たすRE数である。
【００４０】
制御信号マッピング制御部１０４は、各PRBペアが分割数に分けられることによって得られるCCEを少なくとも１つ含むリソース領域候補を設定し、アグリゲーションレベルに基づいて、各PRBペアにおいて設定された複数のリソース領域候補によって構成されるサーチスペースを決定する。
【００４１】
割り当て制御信号は、制御信号マッピング制御部１０４において決定されたサーチスペースを構成する複数の「リソース領域候補」の内の１つに、マッピング部１０７によってマッピングされて、端末２００へ送信される。
【００４２】
図９は、本発明の実施の形態１に係る端末２００の要部構成を示すブロック図である。
【００４３】
端末２００は、サーチスペースを構成する複数の「リソース領域候補」の内の１つに送信装置においてマッピングされた割り当て制御信号を受信する。各「リソース領域候補」は、アグリゲーションレベルの値と同数の制御チャネル要素から構成される。
【００４４】
分割数計算部２０５は、各PRBペアにおける、割り当て制御信号をマッピングできるREの第１の個数と、割り当て制御信号以外の信号をマッピングするREの第２の個数と、基準値とに基づいて、PRBペアの分割数を算出する。基準値は割り当て制御信号の自装置における受信品質要求を満たすRE数である。
【００４５】
抽出リソース特定部２０６は、各PRBペアが分割数に分けられることによって得られるCCEを少なくとも１つ含むリソース領域候補を設定し、アグリゲーションレベルに基づいて、各PRBペアにおいて設定された複数のリソース領域候補によって構成されるサーチスペースを特定する。この特定されたサーチスペースを構成する複数の「リソース領域候補」は、複数の「抽出対象リソース領域」に対応する。こうして特定された複数の「リソース領域候補」の内の１つに送信装置においてマッピングされた割り当て制御信号が信号分離部２０２によって抽出されることにより、割り当て制御信号が受信される。
【００４６】
［基地局１００の構成］
図１０は、本発明の実施の形態１に係る基地局１００の構成を示すブロック図である。図１０において、基地局１００は、割り当て制御情報生成部１０１と、サーチスペース決定部１０２と、分割数計算部１０３と、制御信号マッピング制御部１０４と、誤り訂正符号化部１０５と、変調部１０６と、マッピング部１０７と、送信部１０８と、受信部１０９と、復調部１１０と、誤り訂正復号部１１１とを有する。
【００４７】
割り当て制御情報生成部１０１は、送信すべきデータ信号および上り回線に割り当てるデータ信号が有る場合、データ信号を割り当てるリソースを決定し、割り当て制御情報（DL assignmentおよびUL grant）を生成する。DL assignmentは、下り回線データ信号のマッピングリソースに関する情報を含む。また、UL grantは、端末２００から送信される上り回線データのマッピングリソースに関する情報を含む。DL assignmentは、マッピング部１０７へ出力され、UL grantは、受信部１０９へ出力される。
【００４８】
サーチスペース決定部１０２は、端末２００に対して送信されるDL grant及びUL grantの内の少なくとも一方を含む制御信号をマッピングするPRBペア候補群（つまり、上記した第１のグループに対応する。以下では、「サーチスペースPRB群」とも呼ばれることがある）を決定し、決定された「サーチスペースPRB群」に関する情報（以下では、「サーチスペース情報」と呼ばれることがある）を制御信号マッピング制御部１０４及び誤り訂正符号化部１０５へ出力する。
【００４９】
「サーチスペースPRB群」に関する情報は、例えば、Nビットから構成されるビット列であり、Nビットは、基地局１００が利用可能な通信帯域を構成するN個のPRBペアにそれぞれ対応する。そして、例えば、ビット値１に対応するPRBペアは、サーチスペースに含まれるPRBペアであり、ビット値０に対応するPRBペアは、サーチスペースに含まれないPRBペアである。
【００５０】
分割数計算部１０３は、１つのPRBペアにおいてE-PDCCHに使用できるOFDMシンボル数及び１つのPRBペアにおいてRSに使用されるRE数を入力とし、これらに基づいて、１つのPRBペアを分割する分割数Dを計算する。この分割数Dの計算は、サブフレーム毎に１つのPRBペアに含まれるE-PDCCHに使用できるRE数が変わる可能性があるので、サブフレーム毎に行われる。計算された分割数DによってPRBペアが分割されることにより、D個の「分割リソース領域」が規定される。そして、各分割リソース領域は、E-PDCCHのCCEとして用いられる。
【００５１】
具体的には、分割数Dは、次の式（１）によって求められる。
【数１】
0006028981.tif 000002
Mは、端末における受信品質要求を満たすために必要な、１つのCCEを構成するRE数の下限値である。
【００５２】
また、E-PDCCHに使用できるRE数は、次の式（２）によって求められる。
【数２】
0006028981.tif 000003
【００５３】
また、PRBペアにおいてE-PDCCHに使用できるOFDMシンボル数によって規定されるリソース領域において、E-PDCCH以外に用いられるRE数は、例えば、次の（３）によって求められる。
【数３】
0006028981.tif 000004
なお、PRSを考慮する場合、E-PDCCHに使用されるシンボルにおいてPRSに使用されるRE数もさらにマイナスされる。
【００５４】
制御信号マッピング制御部１０４は、分割数計算部１０３において計算された分割数M、サーチスペース決定部１０２から受け取る「サーチスペース情報」、及び、アグリゲーションレベルに基づいて、その分割数M及びアグリゲーションレベルのペアに対応するサーチスペースを決定する。そして、制御信号マッピング制御部１０４は、決定されたサーチスペースを構成する複数の「リソース領域候補」の内の１つを、「制御信号マッピングリソース」として選択する。ここで、「制御信号マッピングリソース」は、端末２００宛の制御信号が実際にマッピングされるリソース領域である。また、各「リソース領域候補」は、アグリゲーションレベル数と同数のCCEから構成される。また、「制御信号マッピングリソース」も、アグリゲーションレベル数と同数のCCEから構成される。ただし、CCEを構成するRE数は、通常、分割数Mに応じて異なるが、平準化される。
【００５５】
誤り訂正符号化部１０５は、送信データ信号及びサーチスペース情報を入力とし、入力された信号を誤り訂正符号化し、変調部１０６へ出力する。
【００５６】
変調部１０６は、誤り訂正符号化部１０５から受け取る信号に対して変調処理を施し、変調後のデータ信号をマッピング部１０７へ出力する。
【００５７】
マッピング部１０７は、割り当て制御情報生成部１０１において生成された割り当て制御情報を、制御信号マッピング制御部１０４において決定された「制御信号マッピングリソース」にマッピングする。
【００５８】
また、マッピング部１０７は、変調部１０６から受け取るデータ信号を、割り当て制御情報生成部１０１において生成された下り回線リソース割当制御情報（DL assignment）に対応する下り回線リソースにマッピングする。
【００５９】
こうして割り当て制御情報及びデータ信号が所定のリソースにマッピングされることにより、送信信号が形成される。形成された送信信号は、送信部１０８へ出力される。
【００６０】
送信部１０８は、入力信号に対してアップコンバート等の無線送信処理を施し、アンテナを介して端末２００へ送信する。
【００６１】
受信部１０９は、端末２００から送信された信号を受信し、復調部１１０へ出力する。具体的には、受信部１０９は、受信信号から、UL grantが示すリソースに対応する信号を分離し、分離された信号に対してダウンコンバート等の受信処理を施した後に復調部１１０へ出力する。
【００６２】
復調部１１０は、入力信号に対して復調処理を施し、得られた信号を誤り訂正復号部１１１へ出力する。
【００６３】
誤り訂正復号部１１１は、入力信号を復号し、端末２００からの受信データ信号を得る。
【００６４】
［端末２００の構成］
図１１は、本発明の実施の形態１に係る端末２００の構成を示すブロック図である。図１１において、端末２００は、受信部２０１と、信号分離部２０２と、復調部２０３と、誤り訂正復号部２０４と、分割数計算部２０５と、抽出リソース特定部２０６と、制御信号受信部２０７と、誤り訂正符号化部２０８と、変調部２０９と、マッピング部２１０と、送信部２１１とを有する。
【００６５】
受信部２０１は、基地局１００から送信された信号を介して受信し、ダウンコンバート等の受信処理を施した後に信号分離部２０２へ出力する。
【００６６】
信号分離部２０２は、抽出リソース特定部２０６から受け取る「抽出指示信号」が示す「抽出対象リソース領域群」に対応する信号を受信信号から抽出し、抽出された信号を制御信号受信部２０７へ出力する。「抽出対象リソース領域群」は、制御信号マッピング制御部１０４において決定された「リソース領域候補群」に対応する。
【００６７】
また、信号分離部２０２は、制御信号受信部２０７から出力されたDL assignmentが示すデータリソースに対応する信号（つまり、下り回線データ信号）を受信信号から抽出し、抽出された信号を復調部２０３へ出力する。
【００６８】
復調部２０３は、信号分離部２０２から出力された信号を復調し、当該復調された信号を誤り訂正復号部２０４へ出力する。
【００６９】
誤り訂正復号部２０４は、復調部２０３から出力された復調信号を復号し、得られた受信データ信号を出力する。誤り訂正復号部２０４は、特に、基地局１００から送信されたサーチスペース情報を抽出リソース特定部２０６へ出力する。
【００７０】
分割数計算部２０５は、分割数計算部１０３と同じ機能を有する。すなわち、分割数計算部２０５は、１つのPRBペアにおいてE-PDCCHに使用できるOFDMシンボル数及び１つのPRBペアにおいてRSに使用されるRE数を入力とし、これらに基づいて、１つのPRBペアを分割する分割数Dを計算する。計算された分割数DによってPRBペアが分割されることにより、D個の「分割リソース領域」が規定される。そして、各分割リソース領域は、E-PDCCHのCCEとして用いられる。なお、１つのPRBペアにおいてCRSが使用するRE数は、ブロードキャストチャネルによって基地局１００から端末２００へ通知される。また、１つのPRBペアにおいてDMRSが使用するRE数は、端末ごとに異なっても良い。従って、DMRSが使用するRE数はE-PDCCH送信時の上位レイヤの制御信号によって、基地局１００から端末２００へ予め指定されてもよい。また、１つのPRBペアにおいてCSI-RSが使用するRE数及び周期は、端末個別に上位レイヤの制御信号によって、基地局１００から端末２００へ指定される。
【００７１】
抽出リソース特定部２０６は、分割数計算部２０５において計算された分割数M、基地局１００から送信されたサーチスペース情報、及び、アグリゲーションレベルに基づいて、その分割数M及びアグリゲーションレベルのペアに対応する複数の「抽出対象リソース領域」（つまり、サーチスペース）を特定する。そして、抽出リソース特定部２０６は、特定された複数の「抽出対象リソース領域」に関する情報を、「抽出指示信号」として信号分離部２０２へ出力する。
【００７２】
制御信号受信部２０７は、信号分離部２０２から受け取る信号に対してブラインド復号を行うことにより、自装置宛の制御信号（DL assignment又はUL grant）を検出する。検出された自装置宛のDL assignmentは、信号分離部２０２へ出力され、検出された自装置宛のUL grantは、マッピング部２１０へ出力される。
【００７３】
誤り訂正符号化部２０８は、送信データ信号を入力とし、その送信データ信号を誤り訂正符号化し、変調部２０９へ出力する
【００７４】
変調部２０９は、誤り訂正符号化部２０８から出力された信号を変調し、変調信号をマッピング部２１０へ出力する。
【００７５】
マッピング部２１０は、変調部２０９から出力された信号を、制御信号受信部２０７から受け取るUL grantに従ってマッピングし、送信部２１１へ出力する。
【００７６】
送信部２１１は、入力信号に対してアップコンバート等の送信処理を施し、送信する。
【００７７】
［基地局１００及び端末２００の動作］
以上の構成を有する基地局１００及び端末２００の動作について説明する。
【００７８】
＜基地局１００による分割数算出処理＞
基地局１００において、分割数計算部１０３は、１つのPRBペアにおいてE-PDCCHに使用できるOFDMシンボル数及び１つのPRBペアにおいてRSに使用されるRE数を入力とし、これらに基づいて、１つのPRBペアを分割する分割数Dを計算する。計算された分割数DによってPRBペアが分割されることにより、D個の「分割リソース領域」が規定される。そして、各分割リソース領域は、E-PDCCHのCCEとして用いられる。
【００７９】
具体的には、上記した式（１）を用いて、分割数が計算される。すなわち、予め設定された「基準RE数」と、算出対象のPRBペアにおけるE-PDCCHに用いることができるRE数とに基づいて、各CCEの構成RE数が「基準RE数」以上になるように、分割数が計算される。こうすることにより、サブフレーム毎に１PRBペアあたりのRE数が異なっても、１PRBペアあたりのRE数をサブフレーム間で平準化できるので、１CCEあたりの受信品質を一定以上に確保できる。すなわち、セルエッジ付近に存在する受信品質の良くない端末に対して割り当て制御情報を送信する場合でも、１PRBペアあたりのRE数の少ないサブフレームを使用することができる。ただし、上記した式（１）によって計算された分割数がゼロの場合、分割数としては、１が用いられる。また、分割数が取り得る値を１，２，４に限定する場合、上記した式（１）によって計算された分割数が３のときには、２が分割数として用いられる。
【００８０】
＜基地局１００による制御信号マッピングリソース決定処理＞
基地局１００において、制御信号マッピング制御部１０４は、分割数計算部１０３において計算された分割数M、サーチスペース決定部１０２から受け取る「サーチスペース情報」、及び、アグリゲーションレベルに基づいて、分割数M及びアグリゲーションレベルのペアに対応するサーチスペースを決定する。そして、制御信号マッピング制御部１０４は、決定されたサーチスペースを構成する複数の「リソース領域候補」の内の１つを、「制御信号マッピングリソース」として選択する。決定された制御信号マッピングリソースにマッピングされることにより、割り当て制御情報生成部１０１において生成された割り当て制御情報は、基地局１００から端末２００へ送信される。
【００８１】
＜端末２００による分割数算出処理＞
端末２００において、分割数計算部２０５は、１つのPRBペアにおいてE-PDCCHに使用できるOFDMシンボル数及び１つのPRBペアにおいてRSに使用されるRE数を入力とし、これらに基づいて、１つのPRBペアを分割する分割数Dを計算する。計算された分割数DによってPRBペアが分割されることにより、D個の「分割リソース領域」が規定される。
【００８２】
＜端末２００による抽出リソース特定処理＞
端末２００において、抽出リソース特定部２０６は、分割数計算部２０５において計算された分割数M、基地局１００から送信されたサーチスペース情報、及び、アグリゲーションレベルに基づいて、分割数M及びアグリゲーションレベルのペアに対応する複数の「抽出対象リソース領域」（つまり、サーチスペース）を特定する。受信信号において、特定された複数の「抽出対象リソース領域」に対応する信号が、制御信号受信部２０７におけるブラインド復号処理の対象となる。
【００８３】
以上のように本実施の形態によれば、基地局１００において、分割数計算部１０３は、各PRBペアにおける、割り当て制御信号をマッピングできるREの第１の個数と、割り当て制御信号以外の信号をマッピングするREの第２の個数と、基準値とに基づいて、PRBペアの分割数を算出する。基準値は、割り当て制御信号の端末２００における受信品質要求を満たすRE数である。
【００８４】
そして、制御信号マッピング制御部１０４は、第１のグループに含まれる各PRBペアが分割数と同数に分けられることにより得られるCCE群の内で、複数のリソース領域候補を構成する制御チャネル要素グループ（つまり、使用物理チャネルCCE群）を決定することにより、サーチスペースを決定する。
【００８５】
こうすることにより、PRBペアに含まれ且つ割り当て制御信号をマッピングできるRE数が変化する場合でも、CCEに含まれるRE数を平準化できる。これにより、制御信号の受信品質を向上させることができる。
【００８６】
また、本実施の形態によれば、端末２００において、分割数計算部２０５は、各PRBペアにおける、割り当て制御信号をマッピングできるREの第１の個数と、割り当て制御信号以外の信号をマッピングするREの第２の個数と、基準値とに基づいて、PRBペアの分割数を算出する。基準値は割り当て制御信号の自装置における受信品質要求を満たすRE数である。
【００８７】
そして、抽出リソース特定部２０６は、基地局１００において設定された第１のグループに含まれる各PRBペアが分割数と同数に分けられることにより得られるCCE群の内で、複数の「リソース領域候補」を構成する制御チャネル要素グループを特定することにより、サーチスペースを特定する。この特定されたサーチスペースを構成する複数の「リソース領域候補」は、複数の「抽出対象リソース領域」に対応する。
【００８８】
［実施の形態２］
実施の形態２は、論理チャネル（VRB）の物理チャネル（PRB）へのマッピング方法に関する。なお、実施の形態２に係る基地局及び端末は、実施の形態１に係る基地局１００及び端末２００と基本構成が共通するので、図１０，１１を援用して説明する。
【００８９】
実施の形態２の基地局１００において、制御信号マッピング制御部１０４は、分割数計算部１０３において計算された分割数M、サーチスペース決定部１０２から受け取る「サーチスペース情報」、及び、アグリゲーションレベルに基づいて、その分割数M及びアグリゲーションレベルのペアに対応するサーチスペースを特定する。
【００９０】
具体的には、サーチスペースの特定は、「VRBテーブル」と、分割数Mと、「サーチスペース情報」と、アグリゲーションレベルと、分割数M及びアグリゲーションレベルのペア毎の「対応付けルール」とに基づいて行われる。サーチスペースは、複数の「リソース領域候補」から構成され、各「リソース領域候補」は、アグリゲーションレベルと同数のCCE（以下では、「マッピング候補CCE」と呼ばれることがある）から構成される。
【００９１】
詳細には、制御信号マッピング制御部１０４は、図１２に示すように、VRBテーブル記憶部１２１と、サーチスペース特定部１２２と、マッピングリソース選択部１２３とを有する。
【００９２】
VRBテーブル記憶部１２１は、「VRBテーブル」を記憶する。「VRBテーブル」では、複数のVRBペアと、各VRBペアの分割数候補毎の分割リソース領域（つまり、「バーチャルチャネルCCE」）群とが対応付けられている。「VRBテーブル」では、さらに、分割数候補とアグリゲーションレベル候補との複数のペアと、各ペアに応じた、複数の「バーチャルチャネルの単位リソース領域候補」とが対応付けられている。各「バーチャルチャネルの単位リソース領域候補」は、アグリゲーションレベルと同数の「使用バーチャルチャネルCCE」から構成される。
【００９３】
サーチスペース特定部１２２は、分割数計算部１０３において計算された分割数M及びアグリゲーションレベルのペアとVRBテーブルで対応付けられた使用バーチャルチャネルCCE群を特定する。そして、サーチスペース特定部１２２は、特定された使用バーチャルチャネルCCE群と、サーチスペース決定部１０２から受け取る「サーチスペース情報」と、分割数計算部１０３において計算された分割数M及びアグリゲーションレベルのペアに対応する「対応付けルール」とに基づいて、物理チャネルのサーチスペースを特定する。「対応付けルール」は、「バーチャルチャネルの単位リソース領域候補」と、「物理チャネルのリソース領域候補」とを対応付ける。特定されたサーチスペースは、複数の「リソース領域候補」から構成され、各「リソース領域候補」は、アグリゲーションレベルと同数の「使用物理チャネルCCE」から構成される。「使用物理チャネルCCE」は、上記した「マッピング候補CCE」と同じものを意味する。
【００９４】
ここでは、「VRBテーブル」において、分割数MとアグリゲーションレベルLとのペアに対応する「単位リソース領域候補」と、分割数2Mとアグリゲーションレベル2Lとのペアに対応する「単位リソース領域候補」とは、共通する。また、分割数MとアグリゲーションレベルLとのペアに対応する「対応付けルール」と、分割数2Mとアグリゲーションレベル2Lとのペアに対応する「対応付けルール」とは、共通する。
【００９５】
マッピングリソース選択部１２３は、サーチスペース特定部１２２において特定されたサーチスペースを構成する複数の「リソース領域候補」の内の１つを、制御信号マッピングリソースとして選択する。
【００９６】
実施の形態２の端末２００において、抽出リソース特定部２０６は、分割数計算部２０５において計算された分割数M、基地局１００から送信されたサーチスペース情報、及び、アグリゲーションレベルに基づいて、その分割数M及びアグリゲーションレベルのペアに対応する複数の「抽出対象リソース領域群」（つまり、サーチスペース）を特定する。
【００９７】
具体的には、サーチスペースの特定は、「VRBテーブル」と、分割数Mと、「サーチスペース情報」と、アグリゲーションレベルと、分割数M及びアグリゲーションレベルのペア毎の「対応付けルール」とに基づいて行われる。サーチスペースは、複数の「抽出対象リソース領域」から構成され、各「抽出対象リソース領域」は、アグリゲーションレベルと同数のCCE（以下では、「抽出対象CCE」と呼ばれることがある）から構成される。
【００９８】
詳細には、抽出リソース特定部２０６は、図１３に示すように、VRBテーブル記憶部２２１と、サーチスペース特定部２２２とを有する。
【００９９】
VRBテーブル記憶部２２１は、基地局１００と同じ「VRBテーブル」を記憶する。すなわち、「VRBテーブル」では、複数のVRBペアと、各VRBペアの分割数候補毎の分割リソース領域（つまり、「バーチャルチャネルCCE」）群とが対応付けられている。「VRBテーブル」では、さらに、分割数候補とアグリゲーションレベル候補との複数のペアと、各ペアに応じた、複数の「バーチャルチャネルの抽出対象リソース領域」とが対応付けられている。各「バーチャルチャネルの抽出対象リソース領域」は、アグリゲーションレベルと同数の「使用バーチャルチャネルCCE」から構成される。
【０１００】
サーチスペース特定部２２２は、分割数計算部２０５において計算された分割数M及びアグリゲーションレベルのペアとVRBテーブルで対応付けられた使用バーチャルチャネルCCE群を特定する。そして、サーチスペース特定部２２２は、特定された使用バーチャルチャネルCCE群と、「サーチスペース情報」と、分割数計算部２０５において計算された分割数M及びアグリゲーションレベルのペアに対応する「対応付けルール」とに基づいて、物理チャネルのサーチスペースを特定する。「対応付けルール」は、「バーチャルチャネルの抽出対象リソース領域」と、「物理チャネルの抽出対象リソース領域」とを対応付ける。特定されたサーチスペースは、複数の「抽出対象リソース領域」から構成され、各「抽出対象リソース領域」は、アグリゲーションレベルと同数の「使用物理チャネルCCE」から構成される。「使用物理チャネルCCE」は、上記した「抽出対象CCE」と同じものを意味する。
【０１０１】
ここでは、「VRBテーブル」において、分割数MとアグリゲーションレベルLとのペアに対応する「単位リソース領域候補」と、分割数2Mとアグリゲーションレベル2Lとのペアに対応する「単位リソース領域候補」とは、共通する。また、分割数MとアグリゲーションレベルLとのペアに対応する「対応付けルール」と、分割数2Mとアグリゲーションレベル2Lとのペアに対応する「対応付けルール」とは、共通する。
【０１０２】
以上の構成を有する基地局１００及び端末２００の動作について説明する。ここでは、特に分割数＝２及び分割数＝４を例にとり説明する。図１４は、基地局１００及び端末２００の動作に供する図である。
【０１０３】
図１４の左図は、「VRBテーブル」の内容を視覚的に表した図である。図１４に示された「VRBテーブル」において、アグリゲーションレベルには、レベル１，２，４，８の４つのレベルがある。そして、レベル１，２，４，８のサーチスペースは、６個，６個，２個，２個の「バーチャルチャネルの単位リソース領域候補」をそれぞれ有している。１つのVRBペアであるVRB#Xを４分割した場合の４つのバーチャルチャネルCCEを、VRB#X(a)，VRB#X(b)，VRB#X(c)，VRB#X(d)と呼ぶ。また、１つのPRBペアであるPRB#Xを４分割した場合の４つの物理チャネルCCEを、PRB#X(a)，PRB#X(b)，PRB#X(c)，PRB#X(d)と呼ぶ。また、１つのVRBペアであるVRB#Xを２分割した場合の２つのバーチャルチャネルCCEを、VRB#X(A)，VRB#X(B)と呼ぶ。また、１つのPRBペアであるPRB#Xを２分割した場合の２つの物理チャネルCCEを、PRB#X(A)，PRB#X(B)と呼ぶ。
【０１０４】
また、図１４の「VRBテーブル」は、VRB#0からVRB#7までの８つのVRBペアを有する。そして、サーチスペースは、８つのVRBペアにおいて、VRB#0から各アグリゲーションレベルに応じた数の「バーチャルチャネルの単位リソース領域候補」が連続的に配置されている。図１４の「VRBテーブル」では、VRB#X(a)及びVRB#X(b)をまとめたリソースがVRB#X(A)であり、VRB#X(c)及びVRB#X(d)をまとめたリソースがVRB#X(B)である。
【０１０５】
サーチスペース特定部１２２は、分割数計算部１０３において計算された分割数M及びアグリゲーションレベルのペアとVRBテーブルで対応付けられた使用バーチャルチャネルCCE群を特定する。
【０１０６】
例えば、分割数＝４であり且つアグリゲーションレベル＝１である場合、使用バーチャルチャネルCCE群として、VRB#0(a)，VRB#0(b)，VRB#0(c)，VRB#X0(d)，VRB#1(a)，VRB#1(b)が特定される。なお、アグリゲーションレベル＝１である場合、使用バーチャルチャネルCCEと「バーチャルチャネルの単位リソース領域候補」とは、等しい。
【０１０７】
また、例えば、分割数＝４であり且つアグリゲーションレベル＝２である場合、使用バーチャルチャネルCCE群として、VRB#0(a)，VRB#0(b)，VRB#0(c)，VRB#X0(d)，VRB#1(a)，VRB#1(b)，VRB#1(c)，VRB#X1(d)，VRB#2(a)，VRB#2(b)，VRB#2(c)，VRB#X2(d)が特定される。また、分割数＝２であり且つアグリゲーションレベル＝１である場合、使用バーチャルチャネルCCE群として、VRB#0（A），VRB#0（B），VRB#1（A），VRB#1（B），VRB#2（A），VRB#2（B）が特定される。上記の通り、「VRBテーブル」では、VRB#X(a)及びVRB#X(b)をまとめたリソースがVRB#X(A)であり、VRB#X(c)及びVRB#X(d)をまとめたリソースがVRB#X(B)である。従って、分割数＝４であり且つアグリゲーションレベル＝２である場合と、分割数＝２であり且つアグリゲーションレベル＝１である場合とでは、「バーチャルチャネルの単位リソース領域候補」が一致する。
【０１０８】
また、分割数＝４であり且つアグリゲーションレベル＝４の場合、使用バーチャルチャネルCCE群として、VRB#0（A），VRB#0（B），VRB#1（A），VRB#1（B），VRB#2（A），VRB#2（B），VRB#3（A），VRB#3（B），VRB#4（A），VRB#4（B），VRB#5（A），VRB#5（B）が特定される。このとき、「バーチャルチャネルの単位リソース領域候補」は、｛VRB#0（A），VRB#0（B）｝，｛VRB#1（A），VRB#1（B）｝，｛VRB#2（A）、VRB#2（B）｝，｛VRB#3（A），VRB#3（B）｝，｛VRB#4（A），VRB#4（B）｝，｛VRB#5（A），VRB#5（B）｝である。ここで、｛｝で囲まれるVRBの組は、１つの「バーチャルチャネルの単位リソース領域候補」を構成する。また、分割数＝４であり且つアグリゲーションレベル＝４である場合と、分割数＝２であり且つアグリゲーションレベル＝２である場合とでは、「バーチャルチャネルの単位リソース領域候補」が一致する。ただし、分割数＝４であり且つアグリゲーションレベル＝４の場合、「バーチャルチャネルの単位リソース領域候補」は２個なので、｛VRB#0（A），VRB#0（B）｝，｛VRB#1（A），VRB#1（B）｝のみが使用される。
【０１０９】
また、分割数＝４であり且つアグリゲーションレベル＝８の場合、使用バーチャルチャネルCCE群として、VRB#0（A），VRB#0（B），VRB#1（A），VRB#1（B），VRB#2（A），VRB#2（B），VRB#3（A），VRB#3（B）が特定される。このとき、「バーチャルチャネルの単位リソース領域候補」は、｛VRB#0（A），VRB#0（B），VRB#1（A），VRB#1（B）｝，｛VRB#2（A），VRB#2（B），VRB#3（A），VRB#3（B）｝の２つである。また、分割数＝４であり且つアグリゲーションレベル＝８である場合と、分割数＝２であり且つアグリゲーションレベル＝４である場合とでは、「バーチャルチャネルの単位リソース領域候補」が一致する。
【０１１０】
また、分割数＝２であり且つアグリゲーションレベル＝８の場合、「バーチャルチャネルの単位リソース領域候補」は、｛VRB#0（A），VRB#0（B），VRB#1（A），VRB#1（B），VRB#2（A），VRB#2（B），VRB#3（A），VRB#3（B）｝，｛VRB#4（A），VRB#4（B），VRB#5（A），VRB#5（B），VRB#6（A），VRB#6（B），VRB#7（A），VRB#7（B）｝である。
【０１１１】
そして、サーチスペース特定部１２２は、特定された使用バーチャルチャネルCCE群と、サーチスペース決定部１０２から受け取る「サーチスペース情報」と、分割数計算部１０３において計算された分割数M及びアグリゲーションレベルのペアに対応する「対応付けルール」とに基づいて、物理チャネルのサーチスペースを特定する。
【０１１２】
例えば、分割数＝４であり且つアグリゲーションレベル＝２である場合、図１４の真ん中の図に示すように、VRB#0（A），VRB#0（B），VRB#1（A），VRB#1（B），VRB#2（A），VRB#2（B）は、「対応付けルール」に従って、PRB#0（A），PRB#1（A），PRB#2（A），PRB#3（A），PRB#4（A），PRB#4（B）にマッピングされる。また、分割数＝２であり且つアグリゲーションレベル＝１である場合、図１４の右図に示すように、VRB#0（A），VRB#0（B），VRB#1（A），VRB#1（B），VRB#2（A），VRB#2（B）は、「対応付けルール」に従って、PRB#0（A），PRB#1（A），PRB#2（A），PRB#3（A），PRB#4（A），PRB#4（B）にマッピングされる。すなわち、分割数＝４であり且つアグリゲーションレベル＝２である場合と、分割数＝２であり且つアグリゲーションレベル＝１である場合とでは、「対応付けルール」が一致する。
【０１１３】
一方、端末２００においても、基地局１００と同様の処理が行われる。すなわち、サーチスペース特定部２２２は、分割数計算部２０５において計算された分割数M及びアグリゲーションレベルのペアとVRBテーブルで対応付けられた使用バーチャルチャネルCCE群を特定する。そして、サーチスペース特定部２２２は、特定された使用バーチャルチャネルCCE群と、「サーチスペース情報」と、分割数計算部２０５において計算された分割数M及びアグリゲーションレベルのペアに対応する「対応付けルール」とに基づいて、物理チャネルのサーチスペースを特定する。
【０１１４】
以上のように本実施の形態によれば、基地局１００において、制御信号マッピング制御部１０４は、第１のグループに含まれる各PRBペアが分割数と同数に分けられることにより得られるCCE群の内で、複数のリソース領域候補を構成する制御チャネル要素グループを決定することにより、サーチスペースを決定する。そして、複数のリソース領域候補は、分割数がＭ（Ｍは自然数）であり且つアグリゲーションレベルの値がＡ（Ａは自然数）である場合と、分割数が２Ｍであり且つアグリゲーションレベルの値が２Ａである場合とで、共通する。
【０１１５】
こうすることにより、サブフレーム毎にPRBペアの分割数が異なっても、物理リソースの割り当てを共通にできるので、基地局１００が端末２００へ物理リソースを通知する際のシグナリング量を低減できる。また、最初のサブフレームにおいて品質の良いPRBペアを第１のグループに含めておけば、サブフレーム間で分割数が変わっても、そのPRBペアを使い続けることができる。
【０１１６】
また、本実施の形態によれば、端末２００において、抽出リソース特定部２０６は、第１のグループに含まれる各PRBペアが分割数と同数に分けられることにより得られるCCE群の内で、複数のリソース領域候補を構成する制御チャネル要素グループを特定することにより、サーチスペースを特定する。この特定されたサーチスペースを構成する複数のリソース領域候補は、複数の「抽出対象リソース領域」に対応する。そして、複数の「抽出対象リソース領域」は、分割数がＭ（Ｍは自然数）であり且つアグリゲーションレベルの値がＡ（Ａは自然数）である場合と、分割数が２Ｍであり且つアグリゲーションレベルの値が２Ａである場合とで、共通する。
【０１１７】
［実施の形態３］
実施の形態３は、論理チャネル（VRB）の物理チャネル（PRB）へのマッピング方法のバリエーションに関する。なお、実施の形態３に係る基地局及び端末は、実施の形態１及び実施の形態２に係る基地局１００及び端末２００と基本構成が共通するので、図１０，１１を援用して説明する。
【０１１８】
実施の形態３の基地局１００において、制御信号マッピング制御部１０４は、分割数計算部１０３において計算された分割数M、サーチスペース決定部１０２から受け取る「サーチスペース情報」、及び、アグリゲーションレベルに基づいて、その分割数M及びアグリゲーションレベルのペアに対応するサーチスペースを特定する。
【０１１９】
具体的には、サーチスペースの特定は、「VRBテーブル」と、分割数Mと、「サーチスペース情報」と、アグリゲーションレベルと、「第１種対応付けルール」と、「第２種対応付けルール」とに基づいて行われる。ここで、「第１種対応付けルール」は、実施の形態２と同様に、分割数M/2及びアグリゲーションレベルのペアについての、「バーチャルチャネルの単位リソース領域候補」と「物理チャネルの単位リソース領域候補」とを対応付けるルールである。一方、「第２種対応付けルール」は、分割数M/2及びアグリゲーションレベルのペアについての「リソース領域候補」と、分割数M及びアグリゲーションレベルのペアについての「リソース領域候補」とを対応付けるルールである。すなわち、「第２種対応付けルール」は、任意のPRBペア内において、分割数M/2についての「物理チャネルCCE」と、分割数Mについての「物理チャネルCCE」とを対応付けるルールである。ここで、分割数Mの場合には、１つのPRBペアに含まれるM個の物理チャネルCCEの内、M/2個までを使用物理チャネルCCEとすることができる。
【０１２０】
詳細には、制御信号マッピング制御部１０４は、図１５に示すように、サーチスペース特定部１３２を有する。
【０１２１】
サーチスペース特定部１３２は、「基準分割数」及びアグリゲーションレベルのペアとVRBテーブルで対応付けられた使用バーチャルチャネルCCE群を特定する。そして、サーチスペース特定部１３２は、特定された使用バーチャルチャネルCCE群と、「サーチスペース情報」と、「基準分割数」及びアグリゲーションレベルのペアに対応する「第１種対応付けルール」とに基づいて、「基準分割数」及びアグリゲーションレベルのペアに対応する、物理チャネルのサーチスペースを特定する。ここで、分割数計算部１０３において計算された分割数が2Mの場合、「基準分割数」は、Mである。
【０１２２】
そして、サーチスペース特定部１３２は、「基準分割数」及びアグリゲーションレベルのペアに対応する、物理チャネルのサーチスペースと、「第２種対応付けルール」とに基づいて、分割数計算部１０３において計算された分割数に対応する、物理チャネルのサーチスペースを特定する。
【０１２３】
実施の形態３の端末２００において、抽出リソース特定部２０６は、分割数計算部２０５において計算された分割数M、基地局１００から送信されたサーチスペース情報、及び、アグリゲーションレベルに基づいて、その分割数M及びアグリゲーションレベルのペアに対応する複数の「抽出対象リソース領域群」（つまり、サーチスペース）を特定する。
【０１２４】
具体的には、サーチスペースの特定は、「VRBテーブル」と、分割数Mと、「サーチスペース情報」と、アグリゲーションレベルと、「第１種対応付けルール」と、「第２種対応付けルール」とに基づいて行われる。ここで、「第１種対応付けルール」は、実施の形態２と同様に、分割数M/2及びアグリゲーションレベルのペアについての、「バーチャルチャネルの抽出対象リソース領域」と「物理チャネルの抽出対象リソース領域」とを対応付けるルールである。一方、「第２種対応付けルール」は、分割数M/2及びアグリゲーションレベルのペアについての「物理チャネルの抽出対象リソース領域」と、分割数M及びアグリゲーションレベルのペアについての「物理チャネルの抽出対象リソース領域」とを対応付けるルールである。すなわち、「第２種対応付けルール」は、任意のPRBペア内において、分割数M/2についての「物理チャネルCCE」と、分割数Mについての「物理チャネルCCE」とを対応付けるルールである。
【０１２５】
詳細には、抽出リソース特定部２０６は、図１６に示すように、サーチスペース特定部２３２を有する。
【０１２６】
サーチスペース特定部２３２は、「基準分割数」分割数M及びアグリゲーションレベルのペアとVRBテーブルで対応付けられた使用バーチャルチャネルCCE群を特定する。そして、サーチスペース特定部２３２は、特定された使用バーチャルチャネルCCE群と、「サーチスペース情報」と、「基準分割数」及びアグリゲーションレベルのペアに対応する「第１種対応付けルール」とに基づいて、「基準分割数」及びアグリゲーションレベルのペアに対応する、物理チャネルのサーチスペースを特定する。
【０１２７】
そして、サーチスペース特定部２３２は、「基準分割数」及びアグリゲーションレベルのペアに対応する、物理チャネルのサーチスペースと、「第２種対応付けルール」とに基づいて、分割数計算部２０５において計算された分割数に対応する、物理チャネルのサーチスペースを特定する。
【０１２８】
以上の構成を有する基地局１００及び端末２００の動作について説明する。ここでは、特に分割数＝２及び分割数＝４を例にとり説明する。図１７は、基地局１００及び端末２００の動作に供する図である。
【０１２９】
図１７の左図は、分割数＝４の場合の「VRBテーブル」の内容を視覚的に表した図である。
【０１３０】
分割数計算部２０５において計算された分割数＝２の場合、サーチスペース特定部１３２は、図１７の左図に示した「VRBテーブル」を用いて、基準分割数＝４及びアグリゲーションレベルのペアとVRBテーブルで対応付けられた使用バーチャルチャネルCCE群を特定する。
【０１３１】
そして、サーチスペース特定部１３２は、特定された使用バーチャルチャネルCCE群と、「サーチスペース情報」と、基準分割数＝４及びアグリゲーションレベルのペアに対応する「第１種対応付けルール」とに基づいて、基準分割数＝４及びアグリゲーションレベルのペアに対応する、物理チャネルのサーチスペースを特定する。例えば、分割数＝４であり且つアグリゲーションレベル＝２である場合、図１７の真ん中の図に示すように、VRB#0（A），VRB#0（B），VRB#1（A），VRB#1（B），VRB#2（A），VRB#2（B）は、「第１種対応付けルール」に従って、PRB#0（A），PRB#1（A），PRB#2（A），PRB#3（A），PRB#4（A），PRB#4（B）にマッピングされる。
【０１３２】
そして、サーチスペース特定部１３２は、「基準分割数」及びアグリゲーションレベルのペアに対応する、物理チャネルのサーチスペースと、「第２種対応付けルール」とに基づいて、分割数計算部１０３において計算された分割数に対応する、物理チャネルのサーチスペースを特定する。ここで、図１７における「第２種対応付けルール」では、PRB#X(a)及びPRB#X(c)は、PRB#X(A)と対応づけられ、PRB#X(b)及びPRB#X(d)は、PRB#X（B）と対応付けられている。ただし、PRB#X(A)に対応付けられているPRB#X(a)及びPRB#X(c)は、使用物理チャネルCCEとして同時に用いられることはない。同様に、PRB#X（B）に対応付けられているPRB#X(b)及びPRB#X(d)は、使用物理チャネルCCEとして同時に用いられることはない。
【０１３３】
端末２００のサーチスペース特定部２３２は、基本的には、サーチスペース特定部１３２と同じ動きをする。
【０１３４】
以上のように本実施の形態によれば、基地局１００において、制御信号マッピング制御部１０４は、第１のグループに含まれる各PRBペアが分割数と同数に分けられることにより得られるCCE群の内で、複数のリソース領域候補を構成する制御チャネル要素グループを決定することにより、サーチスペースを決定する。そして、制御信号マッピング制御部１０４は、分割数が２Ｍ（Ｍは自然数）であり且つアグリゲーションレベルの値が２Ａ（Ａは自然数）である場合の、論理チャネルにおける第１のサーチスペースと第１種対応付けルールとに基づいて、分割数が２Ｍであり且つアグリゲーションレベルの値が２Ａである場合の、物理チャネルにおける第２のサーチスペースを特定する。さらに、制御信号マッピング制御部１０４は、第２のサーチスペースと第２種対応付けルールに基づいて、分割数がＭであり且つアグリゲーションレベルの値がＡである場合の、物理チャネルにおける第３のサーチスペースを特定する。そして、第２種対応付けルールでは、各PRBペアにおける、分割数が２Ｍの場合のCCEと分割数がＭの場合のCCEとが対応付けられる。
【０１３５】
こうすることにより、サブフレーム毎にPRBペアの分割数が異なっても、分割数２Ｍ用に基地局１００が端末２００へ物理リソースを通知すれば、分割数Ｍ用の通知が不要となるので、基地局１００が端末２００へ物理リソースを通知する際のシグナリング量を低減できる。また、最初のサブフレームにおいて品質の良いPRBペアを第１のグループに含めておけば、サブフレーム間で分割数が変わっても、そのPRBペアを使い続けることができる。
【０１３６】
また、本実施の形態によれば、端末２００において、抽出リソース特定部２０６は、第１のグループに含まれる各PRBペアが分割数と同数に分けられることにより得られるCCE群の内で、複数のリソース領域候補を構成する制御チャネル要素グループを特定することにより、サーチスペースを特定する。この特定されたサーチスペースを構成する複数のリソース領域候補は、複数の「抽出対象リソース領域」に対応する。そして、抽出リソース特定部２０６は、分割数が２Ｍ（Ｍは自然数）であり且つアグリゲーションレベルの値が２Ａ（Ａは自然数）である場合の、論理チャネルにおける第１のサーチスペースと第１種対応付けルールとに基づいて、分割数が２Ｍであり且つアグリゲーションレベルの値が２Ａである場合の、物理チャネルにおける第２のサーチスペースを特定する。さらに、抽出リソース特定部２０６は、第２のサーチスペースと第２種対応付けルールに基づいて、分割数がＭであり且つアグリゲーションレベルの値がＡである場合の、物理チャネルにおける第３のサーチスペースを特定する。そして、第２種対応付けルールでは、各PRBペアにおける、分割数が２Ｍの場合のCCEと分割数がＭの場合のCCEとが対応付けられる。
【０１３７】
［実施の形態４］
実施の形態４は、実施の形態３と同様に、論理チャネル（VRB）の物理チャネル（PRB）へのマッピング方法のバリエーションに関する。ただし、実施の形態４では、計算された分割数と「基準分割数」との関係が、実施の形態３における関係と逆になる。なお、実施の形態４に係る基地局及び端末は、実施の形態１及び実施の形態３に係る基地局１００及び端末２００と基本構成が共通するので、図１０，１１，１５，１６を援用して説明する。
【０１３８】
実施の形態４の基地局１００において、サーチスペース特定部１３２は、「基準分割数」及びアグリゲーションレベルのペアとVRBテーブルで対応付けられた使用バーチャルチャネルCCE群を特定する。そして、サーチスペース特定部１３２は、特定された使用バーチャルチャネルCCE群と、「サーチスペース情報」と、「基準分割数」及びアグリゲーションレベルのペアに対応する「第１種対応付けルール」とに基づいて、「基準分割数」及びアグリゲーションレベルのペアに対応する、物理チャネルのサーチスペースを特定する。ここで、分割数計算部１０３において計算された分割数がMの場合、「基準分割数」は、2Mである。
【０１３９】
そして、サーチスペース特定部１３２は、「基準分割数」及びアグリゲーションレベルのペアに対応する、物理チャネルのサーチスペースと、「第２種対応付けルール」とに基づいて、分割数計算部１０３において計算された分割数に対応する、物理チャネルのサーチスペースを特定する。
【０１４０】
実施の形態４の基地局１００において、サーチスペース特定部２３２は、「基準分割数」分割数M及びアグリゲーションレベルのペアとVRBテーブルで対応付けられた使用バーチャルチャネルCCE群を特定する。そして、サーチスペース特定部２３２は、特定された使用バーチャルチャネルCCE群と、「サーチスペース情報」と、「基準分割数」及びアグリゲーションレベルのペアに対応する「第１種対応付けルール」とに基づいて、「基準分割数」及びアグリゲーションレベルのペアに対応する、物理チャネルのサーチスペースを特定する。
【０１４１】
そして、サーチスペース特定部２３２は、「基準分割数」及びアグリゲーションレベルのペアに対応する、物理チャネルのサーチスペースと、「第２種対応付けルール」とに基づいて、分割数計算部２０５において計算された分割数に対応する、物理チャネルのサーチスペースを特定する。
【０１４２】
以上の構成を有する基地局１００及び端末２００の動作について説明する。ここでは、特に分割数＝２及び分割数＝４を例にとり説明する。図１８は、基地局１００及び端末２００の動作に供する図である。
【０１４３】
分割数計算部２０５において計算された分割数＝４の場合、サーチスペース特定部１３２は、図１８の左図に示した「VRBテーブル」を用いて、基準分割数＝２及びアグリゲーションレベルのペアとVRBテーブルで対応付けられた使用バーチャルチャネルCCE群を特定する。
【０１４４】
そして、サーチスペース特定部１３２は、特定された使用バーチャルチャネルCCE群と、「サーチスペース情報」と、基準分割数＝２及びアグリゲーションレベルのペアに対応する「第１種対応付けルール」とに基づいて、基準分割数＝２及びアグリゲーションレベルのペアに対応する、物理チャネルのサーチスペースを特定する。例えば、分割数＝２であり且つアグリゲーションレベル＝２である場合、図１７の真ん中の図に示すように、VRB#0（A），VRB#0（B），VRB#1（A），VRB#1（B），VRB#2（A），VRB#2（B），VRB#3（A），VRB#3（B），VRB#4（A），VRB#4（B），VRB#5（A），VRB#5（B）は、「第１種対応付けルール」に従って、PRB#0（A），PRB#0（B），PRB#1（A），PRB#1（B），PRB#3（A），PRB#3（B），PRB#4（A），PRB#4（B），PRB#6（A），PRB#6（B），PRB#7（A），PRB#7（B）にマッピングされる。
【０１４５】
そして、サーチスペース特定部１３２は、「基準分割数」及びアグリゲーションレベルのペアに対応する、物理チャネルのサーチスペースと、「第２種対応付けルール」とに基づいて、分割数計算部１０３において計算された分割数に対応する、物理チャネルのサーチスペースを特定する。ここで、図１７における「第２種対応付けルール」においては、PRB#0等では、PRB#X(A)は、PRB#X(a)と対応づけられ、PRB#X（B）は、PRB#X(c)と対応付けられている。また、図１７における「第２種対応付けルール」においては、PRB#6等では、PRB#X(A)は、PRB#X(b)と対応づけられ、PRB#X（B）は、PRB#X(d)と対応付けられている。すなわち、第１のPRBペアと第２のPRBペアとで、対応付けを異ならせている。ただし、「第２種対応付けルール」はこれに限定されるものではなく、第１のPRBペアと第２のPRBペアとで対応付けを共通にしてもよい。
【０１４６】
端末２００のサーチスペース特定部２３２は、基本的には、サーチスペース特定部１３２と同じ動きをする。
【０１４７】
以上のように本実施の形態によれば、基地局１００において、制御信号マッピング制御部１０４は、第１のグループに含まれる各PRBペアが分割数と同数に分けられることにより得られるCCE群の内で、複数のリソース領域候補を構成する制御チャネル要素グループを決定することにより、サーチスペースを決定する。そして、制御信号マッピング制御部１０４は、分割数がＭ（Ｍは自然数）であり且つアグリゲーションレベルの値がＡ（Ａは自然数）である場合の、論理チャネルにおける第１のサーチスペースと第１種対応付けルールとに基づいて、分割数がＭであり且つアグリゲーションレベルの値がＡである場合の、物理チャネルにおける第２のサーチスペースを特定する。そして、制御信号マッピング制御部１０４は、第２のサーチスペースと第２種対応付けルールに基づいて、分割数が２Ｍであり且つアグリゲーションレベルの値が２Ａである場合の、物理チャネルにおける第３のサーチスペースを特定する。そして、第２種対応付けルールでは、各物理チャネルリソースブロックにおける、前記分割数が２Ｍの場合の制御チャネル要素と前記分割数がＭの場合の制御チャネル要素とが対応付けられる。
【０１４８】
こうすることにより、サブフレーム毎にPRBペアの分割数が異なっても、分割数Ｍ用に基地局１００が端末２００へ物理リソースを通知すれば、分割数２Ｍ用の通知が不要となるので、基地局１００が端末２００へ物理リソースを通知する際のシグナリング量を低減できる。また、最初のサブフレームにおいて品質の良いPRBペアを第１のグループに含めておけば、サブフレーム間で分割数が変わっても、そのPRBペアを使い続けることができる。
【０１４９】
また、本実施の形態によれば、端末２００において、抽出リソース特定部２０６は、第１のグループに含まれる各PRBペアが分割数と同数に分けられることにより得られるCCE群の内で、複数のリソース領域候補を構成する制御チャネル要素グループを特定することにより、サーチスペースを特定する。この特定されたサーチスペースを構成する複数のリソース領域候補は、複数の「抽出対象リソース領域」に対応する。そして、抽出リソース特定部２０６は、分割数がＭ（Ｍは自然数）であり且つアグリゲーションレベルの値がＡ（Ａは自然数）である場合の、論理チャネルにおける第１のサーチスペースと第１種対応付けルールとに基づいて、分割数がＭであり且つアグリゲーションレベルの値がＡである場合の、物理チャネルにおける第２のサーチスペースを特定する。さらに、抽出リソース特定部２０６は、第２のサーチスペースと第２種対応付けルールに基づいて、分割数が２Ｍであり且つアグリゲーションレベルの値が２Ａである場合の、物理チャネルにおける第３のサーチスペースを特定する。そして、第２種対応付けルールでは、各物理チャネルリソースブロックにおける、前記分割数が２Ｍの場合の制御チャネル要素と前記分割数がＭの場合の制御チャネル要素とが対応付けられる。
【０１５０】
［他の実施の形態］
［１］上記各実施の形態において、分割数は、サブフレームの種類から決定されてもよい。以下に、サブフレームの種類に基づく分割数の決定方法を列挙する。
（１）MBSFN subframeでは、non-MBSFN subframeよりも分割数を大きくする。これにより、non-MBSFN subframeよりもRE数の多いMBSFN subframeの分割数を大きくし、MBSFN subframeでのリソース利用効率を向上できる。
（２）CSI-RSを送信するサブフレームでは、CSI-RSを送信しないサブフレームよりも、分割数を大きくする。
（３）ＤＬサブフレームでは、special subframeよりも分割数を大きくする。
（４）Normal CP lengthのサブフレームでは、Extended CP lengthのサブフレームよりも、分割数を大きくする。
（５）Extention carrierのサブフレームでは，Extention carrier以外のキャリアのサブフレームよりも、分割数を大きくする。Extention carrierとは、CRS、PDCCH、PHICH、PCFICHなどのセルごとに設定される信号領域がないサブフレームである。
（６）ＰＤＣＣＨに使用するＯＦＤＭシンボル数が3または4のサブフレームでは、ＰＤＣＣＨに使用するＯＦＤＭシンボル数が1のサブフレームよりも分割数を大きくする。
（７）接続しているセルがABS(Almost black subframe)を設定している場合、ABSでは、ABSではないサブフレームと比較して分割数を小さくする。ABSにおいて、他セルに干渉を与えないように送信電力を小さく送信すると、ABSの回線品質が低くなる。この回線品質が低いサブフレームの分割数を小さくする。
（８）接続しているセルに干渉を与えるセルがABS(Almost black subframe)を設定している場合、ABSではないサブフレームでは、ABSと比較して分割数を小さくする。他セルがABSに設定しているサブフレームでは、回線品質が高くなり、設定していないサブフレームでは回線品質が低くなる。この回線品質が低いABSでないサブフレームの分割数を小さくする。これにより、回線品質が低くなるサブフレームにおいて、分割数を小さくすることで制御信号の回線品質を向上させることができる。
【０１５１】
［２］上記各実施の形態においては、論理チャネルが連続して配置されるものとして説明したが、これに限定されるものではなく、非連続で配置されてもよい。
【０１５２】
［３］上記各本実施の形態においては、各アグリゲーションレベルのサーチスペースのスタート位置が同じになっているが、これに限定されるものではなく、異なってもよい。
【０１５３】
［４］上記各実施の形態においては、レベル１，２，４，８のサーチスペースが、６個，６個，２個，２個の「バーチャルチャネルの単位リソース領域候補」をそれぞれ有しているものとして説明したが、その個数はこれに限定されるものではない。また、アグリゲーションレベルもこれに限定されるものではない。
【０１５４】
［５］上記各実施の形態においては、PRBペアが周波数軸方向で分割されることを前提に説明を行ったが、分割方向はこれに限定されるものでははい。すなわち、コード軸方向又は時間軸方向で分割されてもよい。
【０１５５】
［６］上記各実施の形態を組み合わせることができる。
（１）例えば、分割数が１又は２の場合には、実施の形態１乃至４の内の１つを用いる。そして、分割数が４の場合には、実施の形態４を用いることにより、分割数２のサーチスペースから分割数４のサーチスペースを特定する。
（２）例えば、分割数が１又は２の場合には、実施の形態１乃至４の内の１つを用いる。そして、分割数が４の場合には、実施の形態２を用いる。ただし、分割数が４であり且つアグリゲーションレベルが１の場合のサーチスペースは、分割数が４であり且つアグリゲーションレベルが２の場合のサーチスペースを２分割することにより求める。
（３）例えば、分割数が２又は４の場合には、実施の形態１乃至４の内の１つを用いる。そして、分割数が１の場合には、実施の形態３を用いることにより、分割数２のサーチスペースから分割数１のサーチスペースを特定する。ただし、この場合には、分割数が２の場合のPRBペアの割り当てにおいて、１PRBあたり１つのサーチスペースが割り当てられるようにしておく。
（４）例えば、分割数が２又は４の場合には、実施の形態１乃至４の内の１つを用いる。そして、分割数が１の場合には、実施の形態２を用いる。そして、分割数が１であり且つアグリゲーションレベルが８のサーチスペースを、分割数が２であり且つアグリゲーションレベルが８のサーチスペースを２つ合わせたものとしてもよい。
【０１５６】
［７］上記各実施の形態では、本発明をハードウェアで構成する場合を例にとって説明したが、本発明はハードウェアとの連携においてソフトウェアでも実現することも可能である。
【０１５７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）または、ＬＳＩ内部の回路セルの接続や設定を再構成可能なリコンフィギュラブル・プロセッサーを利用してもよい。
【０１５９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６０】
２０１１年８月１２日出願の特願２０１１−１７６８５５の日本出願に含まれる明細書、図面および要約書の開示内容は、すべて本願に援用される。
【産業上の利用可能性】
【０１６１】
本発明は、制御信号の受信品質を向上させることができるものとして有用である。
【符号の説明】
【０１６２】
１００  基地局
１０１  割り当て制御情報生成部
１０２  サーチスペース決定部
１０３，２０５  分割数計算部
１０４  制御信号マッピング制御部
１０５，２０８  誤り訂正符号化部
１０６，２０９  変調部
１０７，２１０  マッピング部
１０８，２１１  送信部
１０９，２０１  受信部
１１０，２０３  復調部
１１１，２０４  誤り訂正復号部
１２１，２２１  VRBテーブル記憶部
１２２，１３２，２２２，２３２  サーチスペース特定部
１２３  マッピングリソース選択部
２００  端末
２０２  信号分離部
２０６  抽出リソース特定部
２０７  制御信号受信部
【図１】
0006028981.tif 000005
【図２】
0006028981.tif 000006
【図３】
0006028981.tif 000007
【図４】
0006028981.tif 000008
【図５】
0006028981.tif 000009
【図６】
0006028981.tif 000010
【図７】
0006028981.tif 000011
【図８】
0006028981.tif 000012
【図９】
0006028981.tif 000013
【図１０】
0006028981.tif 000014
【図１１】
0006028981.tif 000015
【図１２】
0006028981.tif 000016
【図１３】
0006028981.tif 000017
【図１４】
0006028981.tif 000018
【図１５】
0006028981.tif 000019
【図１６】
0006028981.tif 000020
【図１７】
0006028981.tif 000021
【図１８】
0006028981.tif 000022